(57)【要約】【課題】自動車内で買物袋など多くの物品を安定して収納するとともに容易に取り外して車外に持ち出せることのできる自動車用物品収納具を提供する。【解決手段】本体は、縦布部と横布部とで上部が開放された袋状の収納部を形成するとともに、該縦布部の両端に吊下ベルトを備え、該横布部の上縁部に筒状に縫製された筒状部を形成し、該筒状部にドローコードを挿通し該ドローコードを絞ることで該収納部の開口間口を狭めるように構成した。【選択図】図１
0003178263.tif 000002
【実用新案登録請求の範囲】
【請求項１】
本体は、縦布部と横布部とで上部が開放された袋状の収納部を形成するとともに、該縦布部の両端に吊下ベルトを備え、該横布部の上縁部に筒状に縫製された筒状部を形成し、該筒状部にドローコードを挿通し該ドローコードを絞ることで該収納部の開口間口を狭めるように構成したことを特徴とする自動車用物品収納具。
【請求項２】
本体は、縦布部と横布部とで上部が開放された袋状の収納部を形成するとともに、該縦布部の両端に吊下ベルトを備え、該横布部の上縁部に筒状に縫製された筒状部を形成し、該筒状部にドローコードを挿通し該ドローコードを絞ることで該収納部の開口間口を狭めるように構成し、該本体は、該吊下ベルトを自動車の前部座席と後部座席のヘッドレストに掛け渡して吊すことで装着されることを特徴とする自動車用物品収納具。
【考案の詳細な説明】
【技術分野】
【０００１】
本考案は、自動車内で使用する物品収納具に関し、前部座席と後部座席のヘッドレストに掛け渡して吊して使用する自動車用物品収納具に関する。
【背景技術】
【０００２】
従来、自動車の車内で買物袋などの手荷物は、便宜的に座席の上に置かれることが通常である。このような状態で走行すると、走行時の加減速やコーナリングの際、座席の上に置いた手荷物が左右に転がったり座席下のフロアに落下したりすることが多々ある。また、買い物袋から物品がこぼれ出たり落ちたりしてしまうことも多々あり、これを解消するために次のような考案がなされている。
【０００３】
実用新案登録第３０４５６９４号公報（特許文献１）に開示された自動車用吊り下げ具は、自動車内で買物袋などを手軽に引っ掛けることのできる小型軽量な吊り下げ具である。リング状のループ体と略Ｕ字形状体のフック体の夫々を端部に一体的に構成し、当該公報の図３に示されるようにループ体をヘッドレストステーに取り付けて逆側端部のフック体に買物袋の取っ手を掛けて吊り下げて使用される。
【０００４】
実公平７−４８１２３号公報（特許文献２）に開示されたショッピングバッグ兼用自動車内用バスケットは、ショッピングバッグとして、また自動車内の座席上に置かれる荷物を収容するバスケットとして使用することができるものである。上部が開口した袋状体に肩掛け用の紐と、座席背もたれへの取り付け用の紐と、座席取り付け用の棒状体を左右方向に取り付けて当該公報の図１乃至４に示されるように、自動車の座席に取り付けたり取り外して肩掛けにしたりして使用される。
【先行技術文献】
【特許文献】
【０００５】
【特許文献１】実用新案登録第３０４５６９４号公報
【特許文献２】実公平７−４８１２３号公報
【考案の概要】
【考案が解決しようとする課題】
【０００６】
ところで、前記したような従来の吊り下げ具やバスケットは、小さめの買物袋であれば何ら問題なく吊り下げられ、あるいは収納して使い勝手良く使用することができる。しかしながら昨今、郊外型大規模ショッピングセンターなど商業施設が各地に開発されており、自動車でレジャーを兼ねて訪れ沢山の買い物をすることが多くなっている。また、生活スタイルも欧米化が進みスーパーマーケットなどで食料品を多量に購入して保存することも多くなっている。このような場合、買い物した物品は多くなり、従来の吊り下げ具やバスケットでは対応することが不可能である。
【０００７】
そこで本考案は、かかる課題を考慮し、自動車内で買物袋など多くの物品を安定して収納するとともに容易に取り外して車外に持ち出せることのできる自動車用物品収納具を提供することを目的としている。
【課題を解決するための手段】
【０００８】
かかる課題を解決するために、本考案の請求項１によれば、本体は、縦布部と横布部とで上部が開放された袋状の収納部を形成するとともに、該縦布部の両端に吊下ベルトを備え、該横布部の上縁部に筒状に縫製された筒状部を形成し、該筒状部にドローコードを挿通し該ドローコードを絞ることで該収納部の開口間口を狭めるように構成したことで解決される。
【０００９】
かかる課題を解決するために、本考案の請求項２によれば、本体は、縦布部と横布部とで上部が開放された袋状の収納部を形成するとともに、該縦布部の両端に吊下ベルトを備え、該横布部の上縁部に筒状に縫製された筒状部を形成し、該筒状部にドローコードを挿通し該ドローコードを絞ることで該収納部の開口間口を狭めるように構成し、該本体は、該吊下ベルトを自動車の前部座席と後部座席のヘッドレストに掛け渡して吊すことで装着される
ようにしたことで解決される。
【考案の効果】
【００１０】
本考案の請求項１及び２によれば、本体は、縦布部と横布部とで上部が開放された袋状の収納部を形成するとともに、該縦布部の両端に吊下ベルトを備え、該横布部の上縁部に筒状に縫製された筒状部を形成し、該筒状部にドローコードを挿通し該ドローコードを絞ることで該収納部の開口間口を狭めるように構成したので、自動車の前部座席と後部座席のヘッドレストに吊下ベルトを掛けることで前部座席と後部座席の間にハンモック状に吊り下げて装着し、収納部に買い物などの物品を収納して使用することができる。また、物品を収納したまま本体をヘッドレストから吊下ベルト（４）を外して車外に持ち出すことができ、吊下ベルトを肩掛けにすることで運搬も容易である。
【図面の簡単な説明】
【００１１】
【図１】自動車用物品収納具の説明図である。
【図２】自動車用物品収納具の自動車への取付状態を示す説明図である。
【考案を実施するための形態】
【実施例】
【００１２】
以下、本考案の実施例について、図面を参照して詳細に説明する。図１は、本考案の自動車用物品収納具の説明図である。図１に示されるように、自動車用物品収納具の本体（１）は、縦布部（２）と横布部（３）とで上部が開放された袋状の収納部（５）を形成するとともに該縦布部（２）の両端に吊下ベルト（４）を備えて構成される。また該横布部（３）の上縁部（３ａ）は、筒状に縫製された筒状部（３ｂ）を形成し、その内部にドローコード（３ｃ）を挿通し該ドローコード（３ｃ）の両端部にはコードストッパー（３ｄ）を備える。
【００１３】
縦布部（２）と横布部（３）は、布製であり綿、ポリエステル、ナイロンなどの素材から縫製されて形成される。撥水加工やコーティング加工された素材を用いることで収納部（５）内の水気の外部への漏出を防止できる。また、縦布部（２）と横布部（３）との両方、あるいは片方をストレッチ性の布素材で形成しても良い。この場合は、振動を吸収する効果があるので、走行の振動を与えたくない物品の収納には好適である。
【００１４】
吊下ベルト（４）は、ナイロンなどの素材からなり縦布部（２）の両端に備えられる。また、図１に示されるように吊下ベルト（４）は、縦布部（２）を長手方向に縦断するように縫製され縦布部（２）の強度を向上させている。また、吊下ベルト（４）は、伸縮性のあるゴムベルトで形成しても良い。この場合は、振動を吸収する効果があるので、走行の振動を与えたくない物品の収納には好適である。
【００１５】
横布部（３）の上縁部（３ａ）に備えられたドローコード（３ｃ）は、ナイロンなどの紐であり両端部には公知のコードストッパー（３ｄ）を備えて適宜長さに絞ることができる。また、コードストッパー（３ｄ）を使わずともドローコード（３ｃ）の端部に結び目のこぶを造って止めても良い。さらに、伸縮可能なゴム素材の紐を用いても良く、絞った状態であっても引き伸ばすこと自在で使い勝手に優れる。
【００１６】
図２は、自動車用物品収納具の自動車への取付状態を示す説明図である。上記の如く構成された本体（１）は、自動車の前部座席（６）のヘッドレスト（６ａ）と後部座席（７）のヘッドレスト（７ａ）に吊下ベルト（４）を掛けて、前部座席（６）と後部座席（７）との間にハンモック状に吊り下げて装着され、収納部（５）に買物袋などの物品を収納して使用する。そして、物品を収納した状態の本体（１）は、そのままヘッドレスト（６ａ）（７ａ）から吊下ベルト（４）を外して車外に持ち出すことができる。このときは吊下ベルト（４）を肩掛けにすることで運搬も容易である。
【００１７】
また、前部座席（６）と後部座席（７）との間の幅寸法は自動車によってまちまちである。そこで吊下ベルト（４）にはアジャスターを備え適宜な長さに調整をすることができるようにした。前部座席（６）と後部座席（７）との間が広い車種は、長く調整すれば良いし、狭い車種は短く調整すれば丁度良く本体（１）を装着することができる。
【００１８】
さらに、横布部（３）の上縁部（３ａ）には、ドローコード（３ｃ）とその両端にコードストッパー（３ｄ）を備えている。そこで、収納部（５）に入れる物品の量に応じてドローコード（３ｃ）を絞ってコードストッパー（３ｄ）で止めることで収納部（５）の開口の間口が狭まり物品の落下を防止して安定して収納することができる。また、前記前部座席（６）と後部座席（７）との間の幅調整にも吊下ベルト（４）の長さ調整と合わせて行えばさらに有効である。
【００１９】
以上の説明では本体（１）を前部座席（６）と後部座席（７）との間にハンモック状に吊り下げ装着した例を述べが、吊下ベルト（４）の両方を前部座席（６）のヘッドレスト（６ａ）、あるいは後部座席（７）のヘッドレスト（７ａ）の何れかに掛けて使用することもできる。この場合は、収納する物品が少ない場合や、物品が車外から見えないようにする際に好適である。
【符号の説明】
【００２０】
１    本体
２    縦布部
３    横布部
３ａ  上縁部
３ｂ  筒状部
３ｃ  ドローコード
３ｄ  コードストッパー
４    吊下ベルト
５    収納部
６    前部座席
６ａ  ヘッドレスト
７ａ  ヘッドレスト
【図１】
0003178263.tif 000003
【図２】
0003178263.tif 000004